(57)【要約】【課題】  吸盤装置の操作のためのレバーを確実にロックすることができるようにする。【解決手段】  吸盤体とその背後に重ねられる加圧盤を有し、吸盤体裏面に設けた突部を加圧盤の背後にて操作するカム機構を具備している吸盤用ロック装置である。カム機構２２として突部１４に回転可能に軸支し、加圧盤裏面を加圧可能な二俣状の偏心カム片２４を有し、偏心カム片の回転に伴いカム片のカム部２６により加圧盤裏面を加圧する力が増減する構成を有しており、二俣状の偏心カム片２４には、回転の終期に突部１４を抱えるように係合する抱持部２５を先端部に設けるとともに、加圧盤裏面と係止する係止部３１を周面に設けたことを特徴とする。【選択図】          図１
0003102336.tif 000002
【実用新案登録請求の範囲】
【請求項１】
吸盤体とその背後に重ねられる加圧盤を有し、吸盤体裏面に設けた突部を加圧盤の背後にて操作するカム機構を具備している吸盤用ロック装置であって、カム機構として突部に回転可能に軸支し、加圧盤裏面を加圧可能な二俣状の偏心カム片を有し、偏心カム片の回転に伴いカム片のカム部により加圧盤裏面を加圧する力が増減する構成を有しており、二俣状の偏心カム片には、回転の終期に突部を抱えるように係合する抱持部を先端部に設けるとともに、加圧盤裏面と係止する係止部を周面に設けたことを特徴とする吸盤用ロック装置。
【請求項２】
カム部の最後端部には、加圧盤裏面に当接する接点が設けられている請求項１記載の吸盤用ロック装置。
【考案の詳細な説明】
【技術分野】
【０００１】
本考案は、吸盤体とその背後に重ねられる加圧盤を有し、吸盤体裏面に設けた突部を加圧盤の背後にて操作するカム機構を具備している吸盤用ロック装置に関するものである。
【背景技術】
【０００２】
市場には小物掛け具のようなフックとして知られている吸盤があり、それは例えば実公平７−２８９９６号或いは実開平７−３６９８６号に開示されている吸盤のような構造を有している。この吸盤は、前者の考案に記載されているように吸着盤と、吸着盤の背後に重ねて配置されている押さえ盤を有しており、吸着盤を彎曲させつつ吸着盤に吸着力を付与する押圧保持部を備え、レバー操作によって吸着力を制御することができるようになっている。
【０００３】
しかしながら、前記の考案にはレバーに対する固定方法が十分でなく、容易に動いてしまうという問題があった。押圧保持部にはレバー枢着部の外側位置に突起が設けられているが、突起が押え盤を押圧する状態になったときに、その押圧力の反力でレバーが固定されているに過ぎない。後者の考案でも事情は変わらない。レバーが動いてしまうということは吸着力がなくなるということにつながることであり、吸着装置としては致命的な欠陥といわなければならない。
【０００４】
【特許文献１】実公平７−２８９９６号
【特許文献２】実開平７−３６９８６号
【考案の開示】
【考案が解決しようとする課題】
【０００５】
本考案は前記の点に着目してなされたものであって、その課題は、吸盤装置の操作のためのレバーを確実にロックできるようにすることである。
【課題を解決するための手段】
【０００６】
前記の課題を解決するため、本考案は吸盤体とその背後に重ねられる加圧盤を有し、吸盤体裏面に設けた突部を加圧盤の背後にて操作するカム機構を具備している吸盤用ロック装置について、カム機構として突部に回転可能に軸支し、加圧盤裏面を加圧可能な二俣状の偏心カム片を有し、偏心カム片の回転に伴いカム片のカム部により加圧盤裏面を加圧する力が増減する構成を有しており、二俣状の偏心カム片には、回転の終期に突部を抱えるように係合する抱持部を先端部に設けるとともに、加圧盤裏面と係止する係止部を周面に設けるという手段を講じたものである。
【０００７】
吸盤体と加圧盤は前後に重ねて配置され、吸盤体は加圧盤の空間の内部に収まるように形成されており、吸盤体の周縁部を加圧盤の周縁部にて固定し得るようになっている。吸盤体の裏面には突部が設けてあり、突部は加圧盤の開口を経て背後に出され、カム機構により操作される。カム機構は、突部を介して、吸着時に吸盤体を加圧盤に引き寄せ、剥離時に吸盤体を加圧盤から押し離すように作用する。つまり、吸着時に吸盤体を被吸着面に接触させてから、カム機構により加圧盤に引き寄せて内部容積を増すと、その分だけ内部圧力が低下し、吸着力が増大することになる。
【０００８】
カム機構の主たる部材は、二俣状の偏心カム片であり、突部に回転可能に軸支し、回転周面を、加圧盤裏面に摺接させることにより、加圧盤裏面に対する加圧力が偏心カム片の回転半径の大小に応じて増減するものである。従って偏心カム片は  突部を二俣で挟むように配置され、かつその状態で回転可能に軸支される。
【０００９】
このような二俣状の偏心カム片の先端に、カム操作のための回転の終期に、突部を抱えるように突部と係合する抱持部を設ける。抱持部の突端の間の間隔は、突部の太さよりも狭く構成されているから、突部の両側を回転移動する間は、突部により間隔を押し広げられて抵抗を増しているが、回転終期に突部との接触から脱すると抵抗がなくなり、突部を抱えるロック状態となる。この抵抗力が、逆に回転させようとする外力に対しても抵抗となるものである。
【００１０】
二俣状の偏心カム片には、加圧盤裏面と係止してロック状態に固定する係止部が周面に設けられる。偏心カム片の周面は、回転半径が次第に増して行く（或いは減って行く）曲線状の周縁部であり、回転中、加圧盤裏面に対して摺接し、回転半径の増大とともに摺接圧力が増して重くなり、回転半径が減少する方向では摺接圧力が減って軽くなる。その回転の終期とは、摺接圧力が増しつつあり、その最後の段階にて係止部が加圧盤裏面の係止相手と係止することによりロック状態を安定なものとする。係止としては凹部と凸部による形態が良い。係止部は１段階（１箇所）でも良いし、また、２段階（２箇所）又はそれ以上でも良い。
【考案の効果】
【００１１】
本考案は以上の如く構成されかつ作用するものであるから、吸盤装置の操作のためのカム機構を、二股状の偏心カム片における抱持部による突部の抱持と、係止部による加圧盤裏面に対する係止という２箇所のロック手段によって確実にロックすることができるという効果を奏する。
【考案を実施するための最良の形態】
【００１２】
以下図示の実施形態を参照して本考案をより詳細に説明する。図１は、本考案に係る吸盤用ロック装置の１例を示しており、本例はフックとして使用する吸盤体１１の例示である。
【００１３】
例示の吸盤１１は吸盤体１２とその背後に重ねて配置される加圧盤１３とから成り、吸盤体裏面の中央に突部１４が設けられていて、重ねると加圧盤中央を貫通する開口１５から背後に突き出る。吸盤体１２は、正面に面した吸引用空所１６と、その周縁にあって被吸着面Ｓに密着する周縁部１７、を有しており、加圧盤１３は、吸盤体１２の吸引用空所部を収められる空間１８と、吸盤体の周縁部１７に重なる加圧部１９を有している。吸盤体１２は、加圧盤１３の空間１８に収まるのみならず、突部１４で外方へ引っ張られると加圧盤空間内で拡大させられるような大小関係に設けられている。
【００１４】
ロック装置２１が、吸盤体１２と加圧盤１３の背面側に設けられている。ロック装置２１は、吸引作用を制御するカム機構２２に設けられており、カム機構２２は、二俣部２３を有する偏心カム片２４と、その先端部に設けた抱持部２５、２５としての内向き突部、偏心カム片２４の周縁部に設けられていて回転半径が次第に増す（減る）カム部２６、偏心カム片２４を吸盤体１２の突軸１４に回転可能に軸支する枢軸２７、偏心カム片２４のカム部２６が回転によって摺接可能な加圧盤裏面２８を有している。
【００１５】
そして、偏心カム片２４には、ロック手段として、前記抱持部２５と、カム部２６の回転方向後端部近くに凸状の係止部３１が設けられており、これと係合、離脱可能な凹状の係止相手部３２が加圧盤裏面２８に設けられている。さらにカム部２６の最後端部には、加圧盤裏面２８に当接する接点３３が設けられている。なお、符号、３４は突部１４に設けた枢軸挿入口、３５は偏心カム片２４に設けた同様の挿入口を示す。偏心カム片２４
は、操作のためのレバー３６を有しており、さらにレバー３６の先端にはフック部３７が設けられている。
【００１６】
このような構成を有する本考案の吸盤用ロック装置では、吸盤体１２を加圧盤１３の正面に配置するとともに、突部１４を加圧盤１３の背後へ突き出させて突部１４に偏心カム片２４の二俣部２３を嵌め合わせ、各挿入口３４、３５を合わせて枢軸２７を嵌め込んで一体に組み立てられる（図２〜図４）。図２に鎖線で図示した状態では、カム部２６は加圧盤裏面２８から離れているため、吸盤体１２と加圧盤１３とは接触しない配置を取ることができる。被吸着面Ｓに吸盤体１２を吸着させるときには、レバー３６を操作して図２矢印で示す方向へ回転させ、カム部２６が加圧盤裏面２８に接触するようにする。それによって、加圧盤１３と吸盤体１２が圧接状態となり、被吸着面Ｓに押し付けて平面的になっていた吸盤体１２を引っ張ることにより吸引用空所１６の容積が増し、低圧化が進み、非常に強力な吸着状態になる。
【００１７】
レバー３６が操作され、カム部２６が回転の終期になると、抱持部２５は図２に示す突部１４の両側を回って反対側へ移行し、二俣状の偏心カム片２４により突部１４を抱える状態となる（図３及び図２）。それと同時に、係止部３１が加圧部裏面２８を摺接して行って、凹状の係止相手部３２に係合するので、カム機構２２はロック状態に置かれることになり、安定した吸着状態が保証される。特にロックを外す方向に外力が作用した場合でも、本考案では抱持部２５と、係止部３１との２段階のロックが働いているため簡単に外れてしまうということはない。また、カム部２６には接点３３が設けてあり、加圧盤裏面２８に接しているので、フック３７に掛けられた物品の荷重が作用してもロック部が揺らいで不安定化することもない。
【図面の簡単な説明】
【００１８】
【図１】本考案に係る吸盤用ロック装置の１例を示す分解図。
【図２】同上組み立てられたものの動作説明図。
【図３】同じく平面図。
【図４】同じくロック状態を示す側面図。
【符号の説明】
【００１９】
１１  吸盤
１２  吸盤体
１３  加圧盤
１４  突部
１５  開口
１６  吸引用空所
１７  周縁部
１８  空間
１９  加圧部
２１  ロック装置
２２  カム機構
２３  二俣部
２４  偏心カム片
２５  抱持部
２６  カム部
２７  枢軸
２８  加圧盤裏面
３１  係止部
３２  係止相手部
Ｓ  被吸着面
【図１】
0003102336.tif 000003
【図２】
0003102336.tif 000004
【図３】
0003102336.tif 000005
【図４】
0003102336.tif 000006